(57)【要約】【課題】自動販売機等の筐体内に設けられたごみ箱およびこのごみ箱を組み込んだ環境適応形自動販売機を提供することである。【解決手段】自動販売機１等の筐体２の内部に設けられたごみ箱４であって、筐体２にごみ箱４を開閉する扉５を設け、扉５にごみ投入口６を設けること。さらに、ごみ箱４の側壁の内面にごみ袋の開口部を取り付ける手段を設けたこと。さらに、筐体２にごみ箱４内の空気を吸込み筐体２の外へ排気する送風手段を設けたこと。【選択図】図１
0003124450.tif 000002
【実用新案登録請求の範囲】
【請求項１】
自動販売機等の筐体の内部に設けられたごみ箱であって、
前記筐体にごみ箱を開閉する扉を設け、この扉にごみ投入口を設けたことを特徴とするごみ箱。
【請求項２】
自動販売機等の筐体の内部に設けられたごみ箱であって、
ごみ投入口が前記筐体に設けられていることを特徴とするごみ箱。
【請求項３】
請求項１または２に記載されたごみ箱であって、
ごみ箱の側壁の内面にごみ袋の開口部を取り付ける手段を設けたことを特徴とするごみ箱。
【請求項４】
請求項１または２に記載されたごみ箱であって、
ごみ箱に収納したごみ袋の開口部を前記ごみ投入口に接続する接続構造を設けたことを特徴とするごみ箱。
【請求項５】
請求項１に記載されたごみ箱であって、
扉により開閉される開口部に、ごみ袋の開口部を保持できる枠体を配設し、前記扉で前記ごみ箱の開口部を閉じたときに、前記枠体が前記扉のごみ投入口に対向していることを特徴とするごみ箱。
【請求項６】
請求項５に記載されたごみ箱であって、
前記枠体がごみ箱の天井に垂下状に枢着されていることを特徴とするごみ箱。
【請求項７】
請求項１から６までのいずれかに記載されたごみ箱であって、
筐体にごみ箱内の空気を吸込み前記筐体の外へ排気する送風手段を設けたことを特徴とするごみ箱。
【請求項８】
請求項１から７までのいずれかに記載されたごみ箱を組み込んだことを特徴とする環境適応形自動販売機。
【考案の詳細な説明】
【技術分野】
【０００１】
本考案は、ごみを収容するごみ箱に関し、特に、飲食物等の自動販売機等の筐体内に設けられたごみ箱およびこのごみ箱を組み込んだ飲食物等の自動販売機に関するものである。
【背景技術】
【０００２】
従来、飲食物を自動販売する自動販売機は各種ある。自動販売機により販売される飲食物は、容器や包装ごと販売され、その場で飲食されることが多い。販売された飲食物が飲食された後には、飲食物の使用ずみの容器や包装はごみとなる。こうしたごみは、自動販売機の脇に置かれたごみ箱に入れるようになっていることが多い。
なお、従来の自動販売機にはごみ箱が組み込まれていないので、自動販売機に組み込んだごみ箱についての先行技術文献については、調査していないため、上記先行技術文献はない。
【考案の開示】
【考案が解決しようとする課題】
【０００３】
上述のように、従来の自動販売機では、ごみ箱を別途用意しておかなくてはならないので、自動販売機の周りが煩雑である。また、ごみ箱の管理がいき届かず、ごみ箱内のごみが散乱したりして自動販売機の周囲の景観を損ない、環境問題となるケースもある。
そこで、本考案が解決しようとする課題は自動販売機等の筐体内に設けられたごみ箱およびごみ箱を組み込んだ環境適応形自動販売機を提供することである。
【課題を解決するための手段】
【０００４】
前記課題を達成するために、請求項１記載の考案に係るごみ箱は、自動販売機等の筐体（箱、箱状または筒状の囲い、およびハウジングを含む。）の内部に設けられたごみ箱であって、前記筐体にごみ箱を開閉する扉を設け、この扉にごみ投入口を設けたものである。これにより、前記扉によりごみ箱を開閉することができるとともに、前記扉のごみ投入口からごみをごみ箱に投入することができ、前記筐体の内部にごみ箱を形成し易くなる。
【０００５】
さらに、請求項２記載の考案に係るごみ箱は、自動販売機等の筐体の内部に設けられたごみ箱であって、そのごみ投入口が前記筐体に設けられているものである。これにより、前記筐体のごみ投入口からごみをごみ箱に投入することができ、ごみ箱を前記筐体内に形成することが容易となる。
【０００６】
さらに、請求項３記載の考案は、上記請求項１または２に記載された考案において、ごみ箱の側壁の内面にごみ袋の開口部（口元を含む。）を取り付ける手段を設けたことである。これにより、ごみ袋をごみ箱内に配置することが容易になる。
【０００７】
さらに、請求項４記載の考案は、上記請求項１または２に記載された考案において、ごみ箱に収納したごみ袋の開口部を前記ごみ投入口に接続する接続構造を設けたことである。これにより、ごみ箱に収納したごみ袋の開口部をごみ投入口に接続することが容易になる。
【０００８】
さらに、請求項５記載の考案は、上記請求項１に記載された考案において、扉により開閉される開口部に、ごみ袋の開口部を保持できる枠体（四角形枠およびリング状枠を含む。）を配設し、前記扉で前記ごみ箱の開口部を閉じたときに、前記枠体が前記扉のごみ投入口に対向していることである。
これにより、ごみ箱のうち、扉により開閉される開口部に配置された枠体にごみ袋の開口部を保持した状態でごみ袋をごみ箱内に配置すると、前記扉のごみ投入口からごみ箱内に投入されたごみがごみ袋内に落下する。
【０００９】
さらに、請求項６記載の考案は、上記請求項５に記載された考案において、前記枠体がごみ箱の天井に垂下状に枢着されていることである。
これにより、前記枠体にごみ袋の開口部を着脱するときに、前記枠体を手で不用意にごみ箱の前後方向に押したり引張ったりした場合に、前記枠体が前記押したり引張ったりする方向に回動することができるので、前記枠体が破損することを防ぐことができる。
【００１０】
さらに、請求項７記載の考案は、上記請求項１から６までのいずれかに記載された考案において、前記筐体にごみ箱内の空気を吸込み前記筐体の外へ排気する送風機を設けたことである。これにより、ごみ箱内のごみから発生する異臭をごみ箱の外に排出することができる。
【００１１】
さらに、請求項８記載の考案に係る環境適応形自動販売機は、請求項１から７までのいずれかに記載されたごみ箱を組み込んでいる。これにより、自動販売機で販売した飲食物等の使用ずみの包装、容器等をごみとして自動販売機に組み込んだごみ箱に入れることができる。
【考案の効果】
【００１２】
請求項１記載の考案によれば、ごみ箱を自動販売機等の筐体の中に形成することができるので、ごみ箱を別個に配置する必要がなくなる。さらに、例えば、ごみ箱を自動販売機の筐体内に設けた場合には、自動販売機により販売した飲食物から出るごみについては、これを回収する機能を持つ自動販売機が得られる。
【００１３】
さらに、請求項２に記載された考案によれば、上記請求項１に記載された考案と同様に、ごみ箱を自動販売機等の筐体の中に形成することができる。
【００１４】
さらに、請求項３に記載された考案によれば、上記請求項１または２に記載された考案の効果とともに、ごみ袋をごみ箱に配置することが容易になるので、ごみ箱を使用することが容易になる。
【００１５】
さらに、請求項４記載の考案によれば、上記請求項１または２に記載された考案の効果とともに、ごみ投入口からごみ箱に投入されるごみをごみ袋に零れることなく確実に収容することができる。
【００１６】
さらに、請求項５記載の考案によれば、上記請求項１に記載された考案の効果とともに、ごみ袋をごみ箱内に配置することおよびごみ袋をごみ箱から取り出すことが容易になる。
【００１７】
さらに、請求項６記載の考案によれば、上記請求項５に記載された考案の効果とともに、ごみ袋をごみ箱内に配置する際およびごみ袋をごみ箱から取り出す際に枠体が破損することを防ぐことができる。
【００１８】
さらに、請求項７記載の考案によれば、上記請求項１から６までのいずれかに記載された考案の効果とともに、ごみ箱内に収容されたごみから発生する臭気がごみ箱内に篭ることを防止することができる。
【００１９】
さらに、請求項８記載の考案によれば、自動販売機で販売された飲食物等の使用ずみの包装・容器等を入れるごみ箱が自動販売機の周囲の環境を損なうことがない。
【考案を実施するための最良の形態】
【００２０】
（第１の実施の形態）
図１は本実施の形態のごみ箱が組み込まれた自動販売機の全体を示している。自動販売機１は、主として飲食物を販売するものであり、自動販売機１の内部にごみ箱４が設けられている。自動販売機１の筐体２の前面３に料金投入口としてのコイン投入口３ａおよび紙幣投入口３ｂ並びに商品取り出し口３ｃおよび商品陳列棚３ｄが設けられている。
ごみ箱４の前面にごみ箱４を開閉する扉５が設けられ、扉５の上部にごみ投入口６が形成されている。
【００２１】
図２は、図１のごみ箱４を拡大し、その一部分を切り欠いて示す。図２において、６個の受部材９ａはごみ箱４の側壁４ｄの内面に図示しないネジ等により取付けられ、これらの受部材９ａにより枠構造９が保持されている。
筐体２のうちごみ箱４の図示後方の側壁４ｄとなる部分には、ごみ箱４内の空気を吸込み自動販売機１の外へ排気する換気用送風機（換気扇を含む。）７が設けられている。なお、換気用送風機７は、特許請求の範囲における「送風手段」に相当する。
扉５は、ヒンジ５ａにより開閉可能にごみ箱４の側壁４ｄに取付けられ、鍵５ｂにより閉じた状態でロックされる。
【００２２】
図３は、図２のIII−III断面を示す。ただし、ごみ箱４にごみ袋８を配置した状態になっている。図３において、ごみ袋８の開口部８ａの縁８ｂは、枠構造９とごみ箱４の側壁４ｄの内面との間に挟まれて固定されている。このため、ごみ袋８は、その開口部８ａがごみ袋８の上部で開いた状態で保持されているので、ごみ投入口６（図２参照）からごみ箱４内に投入されたごみは、開口部８ａからごみ袋８内に落下する。また、ごみ袋８の開口部８ａの縁８ｂは、容易に上記挟まれた部位から取り外し可能であるので、扉５（図２参照）を開くと、ごみ袋８をごみ箱４から容易に取り出すことができる。
【００２３】
自動販売機１は、販売した飲食物の使用ずみの容器や包装を回収する構造を自体に備えている。すなわち、販売した飲食物のボトルや缶、或いは包装等のごみは、ごみ投入口６から投入することによって、自動販売機１に内蔵されているごみ箱４内に回収される。このため、自動販売機１の周囲の外観性は損なわれず、ごみの散乱も回避することができ、自動販売機１の周囲の環境の改善を図ることができるとともに、ごみ箱４に溜まったごみから発生する臭気は、換気用送風機７により機外に排出され、自動販売機１内には滞ることはない。そして、ごみ箱４に溜まったごみは、扉５を開けて適宜処理すればよい。
【００２４】
（第２の実施の形態）
図４は、第２の実施の形態に係るごみ箱の横断面を示す。図４において、６個のごみ袋保持部材１０は、ごみ箱４ａの側壁４ｅの内面の上部に取付けられている。なお、扉５は、ヒンジ５ａにより矢印５ｘの方向に開くことができる。
図５は、図４のV−V断面を示す。ただし、ごみ箱４ａにごみ袋８を配置した状態になっている。図５において、ごみ袋８の開口部８ａの縁８ｂは、各ごみ袋保持部材１０とごみ箱４ａの側壁４ｅの内面との間に挟み込まれている。このようにして、ごみ袋８は、その開口部８ａが開いた状態でごみ箱４ａ内に着脱自在に配置される。
【００２５】
（第３の実施の形態）
図６は、第３の実施の形態に係るごみ箱４ｂの縦断面を示し、図５の変形例に相当する。図６に示すごみ箱４ｂでは、一対の保持部材１１は、ごみ箱４ｂの側壁４ｆの内面の上部に取付けられ、保持枠１２（図２の枠構造９に相当する。）は一対の保持部材１１により着脱自在に支えられている。
ごみ袋８の開口部８ａの縁８ｂは、前記一対の保持部材１１と保持枠１２との間に挟まれている。このため、ごみ袋８は、その開口部８ａが開いた状態でごみ箱８の中に保持される。
【００２６】
ごみ袋８のごみ箱４ｂからの取出しは、保持枠１２ごとの抜き取りによって行うことができ、ごみ袋８が破れたり引っ掛かったりしないのでごみの取扱いが容易になる。
さらに、ごみ箱４ｂの側壁４ｆの内面の下部に一対の支持部材１４が取付けられ、底板１３がこの一対の支持部材１４で支えられている。そして、ごみ袋８の底部は底板１３上に載置されている。このため、底板１３を引き出すことにより、ごみが詰まったごみ袋８をごみ箱４ｂから引き出すことができる。
【００２７】
（第４の実施の形態）
図７は、第４の実施の形態に係るごみ箱４ｃを一部分破断して示す。図７において、図６と同様に、ごみ箱４ｃの側壁４ｇの内面の下部に一対の支持部材１４が取付けられ、底板１３がこの一対の支持部材１４で支えられている。そして、ごみ袋８の底部は底板１３上に載置されている。また、底板１３の図示手前部分に取っ手１３ａが付設されている。このため、底板１３と一緒にごみ袋８を取り出すことは容易である。
【００２８】
図８は、図７における扉５の上部に設けられているごみ投入口６ａにごみ袋８を接続した状態を一部切欠いて拡大して示している。図８において、ごみ投入口６ａは筒状に形成され、扉５の孔を貫通するように扉５に嵌合している。筒状の接続構造１６は、扉５の内側からごみ投入口６ａに接続され、ごみ袋８の開口部８ａ（図６参照）の縁８ｂは、接続構造１６を被うように、接続構造１６に接続されている。なお、ごみ投入口６ａと接続構造１６は、一体に形成されたものでもよい。
ゴム輪等のリング状弾性体１７がごみ袋８の開口部８ａの縁８ｂの外周に装着されている。このため、開口部８ａの縁８ｂはゴム輪等のリング状弾性体１７により接続構造１６に取り付けられている。これにより、開口部８ａの縁８ｂをごみ投入口６ａに接続することおよびこの接続を外すことは容易である。
【００２９】
また、接続構造１６の内部に開閉可能な蓋１８が配設されている。この蓋１８は、矢印１８ｘの方向に回動して接続構造１６の内部を開閉するように、接続構造１６の内部に垂下状に枢着されている。
ごみ袋８をごみ箱４ｃ（図７参照）内に収め、その開口部８ａの縁８ｂを接続構造１６に繋ぎ、リング状弾性体１７で保持させると、ごみ投入口６ａとごみ袋８は接続状態となり、空の容器等のごみなどに残った内容物が漏れたりせずに確実にごみ袋８に収まる。また、蓋１８によってごみ投入時以外はごみ投入口６ａが塞がれるので外観性もよく、さらに、昆虫類がごみ投入口６ａの内部に侵入することも防ぐことができる。
【００３０】
（第５の実施の形態）
図９は、第５の実施の形態に係るごみ箱４ｐを一部分破断して示し、図１０は図９のX−X断面を示し、図１１は図９の枠体等の正面を示す。
図９において、ごみ箱４ｐは、図１のごみ箱４の変形例である。扉２５はヒンジ２５ａにより回動自在にごみ箱４ｐの側壁４ｒに取付けられ、ごみ箱４ｐの前面の開口部４ｔを開閉でき、鍵２５ｂにより閉じた状態でロックされる。
図１０に示すように、ごみ袋８の開口部８ａの縁８ｂを保持できる枠体２１は、開口部４ｔにて、ごみ箱４ｐの天井４ｑにヒンジ２２により垂下状に枢着され、矢印２１ｘの方向に回動可能である。扉２５がごみ箱４ｐの開口部４ｔを閉じた状態において、枠体２１は扉２５のごみ投入口２６（図１１に点線で示す。）に対向し、枠体２１と扉２５との間に若干の隙間がある。なお、前記隙間を調節して、扉２５がごみ箱４ｐの開口部４ｔを閉じた状態において、扉２５と枠体２１とにより枠体２１に保持されたごみ袋８の開口部８ａの縁８ｂを挟むようにしてもよい。
【００３１】
このため、枠体２１にごみ袋８の開口部８ａを保持した状態でごみ袋８をごみ箱４ｐ内に配置すると、扉２５のごみ投入口２６からごみ箱４ｐ内に投入された、自動販売機１で販売された飲料の空のボトル、缶等のごみがごみ袋８内に落下する。さらに、枠体２１にごみ袋８の開口部８ａを着脱するときに、枠体２１を手で不用意にごみ箱４ｐの前後方向に押したり引張ったりした場合に、枠体２１が前記押したり引張ったりする方向にヒンジ２５ａにより回動することができるので、枠体２１が破損することを防ぐことができる。
【００３２】
なお、ごみ箱４ｐの床４ｓに受皿２３は置かれ、ごみ袋８は受皿２３に載置されているので、受皿２３をごみ箱４ｐから引き出すと、前記ごみが詰まったごみ袋８をごみ箱４ｐから容易に取り出すことができる。
また、ごみ袋８の開口部８ａを枠体２１に着脱するときに、扉２５を開けて、枠体２１をごみ箱４ｐの外側に回動させると、ごみ袋８の開口部８ａを枠体２１に着脱することが容易になる。
【００３３】
また、上記第１の実施の形態から第４の実施の形態においては、ごみ投入口が自動販売機の筐体内に設けられたごみ箱の扉に形成されているが、これに限定されず、前記ごみ投入口を自動販売機等の筐体に設けてもよい。
【図面の簡単な説明】
【００３４】
【図１】第１の実施の形態に係るごみ箱が組み込まれた自動販売機を示す斜視図である。
【図２】図１のごみ箱を拡大し、その一部分を切り欠いて示す斜視図である。
【図３】図２のIII−III断面を示す断面図である。
【図４】第２の実施の形態に係るごみ箱を示す横断面図である。
【図５】図４のV−V断面を示す断面図である。
【図６】第３の実施の形態に係るごみ箱の縦断面図である。
【図７】第４の実施の形態に係るごみ箱を一部分破断して示す斜視図である。
【図８】図７のごみ袋をごみ投入口に接続した状態を一部切欠いて拡大して示す部分図である。
【図９】第５の実施の形態に係るごみ箱を一部分破断して示す斜視図である。
【図１０】図９のX−X断面を示す断面図である。
【図１１】図９の枠体等の正面を示す部分図である。
【符号の説明】
【００３５】
１  自動販売機
２  筐体
４、４ａ、４ｂ、４ｃ  ごみ箱
４ｄ、４ｅ、４ｆ、４ｇ  側壁
４ｐ  ごみ箱
４ｑ  天井
４ｒ  側壁
４ｔ  開口部
５  扉
６、６ａ  ごみ投入口
７  換気用送風機（送風手段）
８  ごみ袋
８ａ  ごみ袋の開口部
１６  接続構造
２１  枠体
２２  ヒンジ
２５  扉
２６  ごみ投入口
【図１】
0003124450.tif 000003
【図２】
0003124450.tif 000004
【図３】
0003124450.tif 000005
【図４】
0003124450.tif 000006
【図５】
0003124450.tif 000007
【図６】
0003124450.tif 000008
【図７】
0003124450.tif 000009
【図８】
0003124450.tif 000010
【図９】
0003124450.tif 000011
【図１０】
0003124450.tif 000012
【図１１】
0003124450.tif 000013